(57)【特許請求の範囲】
【請求項１】
頂部にプラットホームが設置される吊上げ設置型構造物を、クレーンで鉛直方向に吊上げて所定場所に設置する吊上げ設置型構造物の据え付け方法であって、
前記プラットホームに、ワイヤ取付け治具を、補強部材を介してボルト螺合による締結手段により着脱自在に取付けておくとともに、
前記ワイヤ取付け治具に、前記クレーンのワイヤまたは連結金具を取付けて、前記吊上げ設置型構造物を所定場所に据え付けし、この据え付けが完了した後、前記プラットホームに取付けられた前記ワイヤ取付け治具を、前記ボルト螺合による締結手段を解除することにより、前記プラットホームから取り外すことを特徴とする吊上げ設置型構造物の据え付け方法。
【請求項２】
前記補強部材は、前記吊上げ設置型構造物の据え付けが完了した後、前記プラットホームの一部として残されることを特徴とする請求項１に記載の吊上げ設置型構造物の据え付け方法。
【請求項３】
前記ワイヤ取付け治具の取り外しにより形成された跡地に、予め用意された略同形状の遮蔽部材を設置してこの跡地を覆うようにしたことを特徴とする請求項１に記載の吊上げ設置型構造物の据え付け方法。
【請求項４】
頂部にプラットホームが設置される吊上げ設置型構造物を、クレーンで鉛直方向に吊上げて所定場所に設置する吊上げ設置型構造物の据え付け治具であって、
前記プラットホームに取付けられる補強部材と、
外周部に複数のボルト挿通孔が形成され、このボルト挿通孔に挿通されたボルトにより前記補強部材に着脱自在に取付けられる基板部、並びに前記基板部から一体的に立設されクレーンのワイヤまたは連結金具を通すための挿通孔が形成された立ち上がり板部を備えてなるワイヤ取付け治具と、
から構成されることを特徴とする吊上げ設置型構造物の据え付け治具。
【発明の詳細な説明】
【技術分野】
【０００１】
本発明は、例えば、石油精製プラントなどで使用される反応塔や蒸留塔、あるいはタンクに代表される吊上げ設置型構造物をクレーンで吊上げて据え付ける場合の吊上げ設置型構造物の据え付け方法およびそれに使用される据え付け治具に関する。
【背景技術】
【０００２】
一般に、石油精製プラントなどに設置される反応塔や蒸留塔、タンクなどは縦方向に長い巨大構造物である。このような巨大構造物では、保守、点検、管理などのために、裾部から頂部に至るまで連続して、あるいは所定箇所にプラットホームが具備されている。
【０００３】
一方、これら石油精製プラントに設置される巨大構造物では、徹底した温度管理が行なわれる場合が多く、その場合には構造物の内外面に、熱影響を避けるための手段が種々講じられている。
【０００４】
このように巨大な吊上げ設置型構造物は、設置場所に横置きの状態からクレーンで鉛直方向に吊上げて据え付けられている（特許文献１）。
【０００５】
ところで、このような吊上げ設置型の巨大構造物をクレーンで吊上げて据え付ける場合には、従来、構造物本体の外周面に直接、据え付け治具を設置し、この治具にワイヤを係止させて吊上げていた。
【０００６】
このようにワイヤを取付けて巨大構造物を据え付けるための据え付け治具は、巨大構造物になるほど堅牢、強固であることが要求されるため、例えば、高さ１０〜１５０メートル、総重量が１０〜１０００ｔにも達する吊上げ設置型構造物に要求される据え付け治具の場合には、その治具だけでも、厚さが１０〜３００ｍｍ、幅が１５０〜１０００ｍｍ、長さが４００〜２０００ｍｍ、重さが１００Ｋｇ〜５ｔもある金属板により形成されている。
【０００７】
このように巨大な吊上げ設置型構造物に取付けられる据え付け治具は、大形で大重量であり、放熱作用の影響を無視することができないことから、高度な温度管理が要求される構造物の場合には、吊上げ作業が完了した後、据え付け治具を機器本体から切り離すことが要求される。
【０００８】
具体的には、吊上げ設置型構造物である機器本体外周面の上側に二つの据え付け治具を溶接により直接固定し機器本体に一体化する。次に、据え付け治具に形成された孔に連結金具などを介してワイヤを引っ掛けて、機器本体が鉛直方向に吊上げられる。そして、所定の据え付け作業が完了した後、据え付け治具は切断され、機器本体から分離される。
【０００９】
なお、連結金具とは、重量物等を吊るす場合にワイヤと治具とを連結するための金具であって、具体的にはシャックルがあげられる。また、シャックルとはU字形金具とシャッ
クルピンとからなる。
【先行技術文献】
【特許文献】
【００１０】
【特許文献１】特開２００８−１３８９１８号公報
【発明の概要】
【発明が解決しようとする課題】
【００１１】
ところで、このように吊上げ設置型構造物の据え付け治具を現場で撤去する作業は、地上数十メートルの高所においての作業であるため、据え付け治具の周囲に足場を構築する必要があったり、また、据え付け治具を地上に落下させないためにこれらの治具をクレーンで確実に保持した状態で行なわなければならないという問題があった。
【００１２】
本発明は、このような実情に鑑み、吊上げ設置型構造物を立て起こすために必要な据え付け治具を、立て起こしが完了した後、その構造物から撤去するにあたり、多大な労を要さず、安全かつ容易に取り外すことが可能な吊上げ設置型構造物の据え付け方法およびそれに使用される据え付け治具を提供することを目的としている。
【課題を解決するための手段】
【００１３】
上記目的を達成するための本発明に係る吊上げ設置型構造物の据え付け方法は、
頂部にプラットホームが設置される吊上げ設置型構造物を、クレーンで鉛直方向に吊上げて所定場所に設置する吊上げ設置型構造物の据え付け方法であって、
前記プラットホームに、ワイヤ取付け治具を、補強部材を介してボルト螺合による締結手段により着脱自在に取付けておくとともに、
前記ワイヤ取付け治具に、前記クレーンのワイヤまたは連結金具を取付けて、前記吊上げ設置型構造物を所定場所に据え付けし、この据え付けが完了した後、前記プラットホームに取付けられた前記ワイヤ取付け治具を、前記ボルト螺合による締結手段を解除することにより、前記プラットホームから取り外すことを特徴としている。
【００１４】
このような据え付け方法であれば、吊上げ設置型構造物と据え付け治具との間を溶断などにより切除する必要がなく、単にボルトの螺合を解除すれば撤去することができるので、足場などを用いずに取り外し作業を容易に行うことができる。
【００１５】
ここで、前記ワイヤ取付け治具は、前記プラットホームに取付けられる補強部材を介して着脱自在に取付けられていることが好ましいが、その補強部材としては、例えば、リング状の補強部材を例示することができる。しかし、この補強部材はリング状に限定されない。
【００１６】
このように、ワイヤ取付け治具が補強部材を介して取付けられていれば、巨大構造物本体に対する取付け強度を緩和することができ、多大な吊上げ荷重に対しても十分な強度を発揮することができる。
また、実際の取り外し作業においては、ワイヤ取付け治具をクレーンで保持しなくても落下のおそれがなく、取り外されたワイヤ取付け治具をプラットホーム上に仮置きすることができる。これにより、クレーンによる保持を必ずしも必要としない。
【００１７】
前記補強部材は、前記吊上げ設置型構造物の据え付けが完了した後、前記プラットホームの一部として残すことが好ましい。
【００１８】
このように補強部材をプラットホームの構成要素として残すようにすれば、プラットホームの強度が向上する。
【００１９】
また、前記ワイヤ取付け治具の取り外しにより形成された跡地に、予め用意された略同形状の遮蔽部材を設置してこの跡地を覆うことが好ましい。
【００２０】
このように、ワイヤ取付け治具の跡地に遮蔽部材を設置すれば、その跡地を略平坦にすることができる。
【００２１】
さらに、本発明に係る据え付け治具は、頂部にプラットホームが設置される吊上げ設置型構造物を、クレーンで鉛直方向に吊上げて所定場所に設置する吊上げ設置型構造物の据え付け治具であって、
前記プラットホームに取付けられる補強部材と、
外周部に複数のボルト挿通孔が形成され、このボルト挿通孔に挿通されたボルトにより前記補強部材に着脱自在に取付けられる基板部、並びに前記基板部から一体的に立設されクレーンのワイヤまたは連結金具を通すための挿通孔が形成された立ち上がり板部を備えてなるワイヤ取付け治具と、
から構成されることを特徴としている。
【００２２】
このような据え付け治具であれば、構成が容易で簡便に作成することができる。また、溶断等で分離する必要がなく、単にボルトの螺合を解除すれば良いことから、高所作業であってもその作業を容易に行うことができ、取り外しのための足場を特に必要としない。さらに、ワイヤ取付け治具をクレーンのワイヤで保持しない状態でも取り外し作業を行うことができる。
【発明の効果】
【００２３】
本発明に係る吊上げ設置型構造物の据え付け方法によれば、単にボルト螺合による結合を解除すれば、据え付け治具を分解してその主要部であるワイヤ取付け治具を吊上げ設置型構造物から取り外すことができる。したがって、これまでのように足場を組んだり、据え付け治具をクレーンで支持したりという、巨大構造物の場合に生じる特異な問題を回避することができる。よって、一般的に危険が伴いがちな高所作業の安全性が向上し、かつ簡便になり、ひいては作業コストの軽減化を図ることができる。
【００２４】
さらに、ワイヤ取付け治具を、補強部材を介して、プラットホームに取付けることにより、強度が向上するとともに荷重負担の偏在化を無くすことができる。
【００２５】
また、本発明に係る据え付け治具は、簡単な構成であるとともに、吊上げ設置型の巨大構造物を吊上げるための強度を発揮することができ、しかもワイヤまたは連結金具を容易に取付けることができる。
【図面の簡単な説明】
【００２６】
【図１】図１は本発明の一実施例による据え付け方法で吊上げ設置型構造物を吊上げたときの正面図である。
【図２】図２は図１に示した吊上げ設置型構造物における連結金具とワイヤとの取付け部を拡大して示す断面図である。
【図３】図３は、本発明の一実施例による据え付け方法で採用された据え付け治具を示す平面図である。
【図４】図４は、本発明の一実施例による据え付け治具の分解斜視図である。
【図５】図５は、ワイヤ取付け治具を取り外した後の跡地を覆うための遮蔽板の平面図である。
【図６】図６は、本発明の一実施例による据え付け治具が設置される蒸留塔の頂部の概略斜視図である。
【図７】図７は、本発明の一実施例による据え付け治具が設置された吊上げ設置型構造物の頂部を示した概略斜視図である。
【図８】図８は、本発明の一実施例による据え付け治具に採用されたワイヤ取付け治具が外された後の跡地に遮蔽板が取付けられた吊上げ設置型構造物の頂部を示す斜視図である。
【発明を実施するための形態】
【００２７】
以下、図面を参照しながら本発明の一実施例に係る吊上げ設置型構造物の据え付け方法およびそれに使用される据え付け治具について説明する。
【００２８】
図１は、本発明の一実施例に係る吊上げ設置型構造物の据え付け方法の実施状況を示したものである。
【００２９】
図１に示したように、例えば、石油精製プラントなどでは、縦方向に長い吊上げ設置型構造物１０（以下、このような巨大構造物１０を蒸留塔１０とする）が多数設置されている。このように縦方向に長く形成された蒸留塔１０は、保守、点検、管理などのために、裾部から頂部に至るまで連続してあるいは所定間隔置きにプラットホーム１６が具備されている。
【００３０】
このように縦方向に長い蒸留塔１０は、横置き状態で現場に搬入されてから、図２に示したような適宜な連結金具１５、例えばシャックルを介してクレーン１２のワイヤ１４で鉛直方向に吊上げられ、所定場所に立設されている。
【００３１】
そこで、本実施例では、シャックルを介してワイヤ１４を蒸留塔１０に引っ掛けるため、蒸留塔１０の頂部のプラットホーム１６Ａとなる部分に、図３および図４に示すような据え付け治具５０が設置されている。
【００３２】
据え付け治具５０は、一対のワイヤ取付け治具３０、３０と、そのワイヤ取付け治具３０、３０をプラットホーム１６Ａに設置するための補強部材２２とから構成されている。
【００３３】
ワイヤ取付け治具３０は、基板部３３と当該基板部３３から立ち上げられた立ち上がり板部３１とから略Ｔ字状に形成されたもので、立ち上がり板部３１には、シャックルピンの挿通孔３８が貫通して形成されている。このワイヤ取付け治具３０は、例えば略リング状に形成された補強部材２２に多数のボルト２４を介して一体的かつ着脱自在に固定される。
【００３４】
一方、ワイヤ取付け治具３０を設置するための補強部材２２の外周部に設けられた円弧状の一対の載置部２３には、螺子孔２２ａが環状に多数形成されている。なお、この補強部材２２は、図示していないボルトあるいは溶接などの適宜な固定手段を介してプラットホーム１６Ａに予め固定されている。
【００３５】
本実施例では、製造段階で先ずリング状の補強部材２２が溶接またはボルトなどの適宜な固定手段によりプラットホーム１６Ａに固定される。そして、その補強部材２２の上方両側に、それぞれワイヤ取付け治具３０が補強部材２２に対して着脱自在かつ一体的に設置される。ワイヤ取付け治具３０の補強部材２２に対する取付けは、ワイヤ取付け治具３０の基板部３３に形成されたボルト挿通孔３０ａにボルト２４を挿通し、ボルト２４の先端の螺子部２４ａを補強部材２２の螺子孔２２ａ内に螺合させることにより、ワイヤ取付け治具３０を補強部材２２に一体的に取付けている。
【００３６】
よって、本実施例では、補強部材２２に螺合されたボルト２４の螺合（ネジ状に回転されて結合すること）を解除すれば、ワイヤ取付け治具３０を補強部材２２から取り外すことができる。
【００３７】
本実施例による吊上げ設置型構造物の据え付け治具５０に採用されたワイヤ取付け治具３０は、上記のように補強部材２２を介して予めプラットホーム１６Ａに設置されるが、本実施例では、ワイヤ取付け治具３０の他に、図５に示したように、外周が一部円弧状に形成された略台形状の遮蔽部材３４、３４が予め用意される。
【００３８】
この遮蔽部材３４は、ワイヤ取付け治具３０の基板部３３に対応する大きさに形成されている。これらの遮蔽部材３４は金属製のプレートであり、周囲には、図８に示したようにネジ５２を挿通するための貫通孔３４ａが所定箇所に形成されている。なお、遮蔽部材３４は複数の部材を組み合わせたものであってもよい。
【００３９】
以下に、上記の据え付け治具５０を使用して蒸留塔１０を縦方向に据え付ける場合の据え付け方法について説明する。
【００４０】
先ず、図１に示したように、巨大構造物である蒸留塔１０の頂部には、吊上げる前に、プラットホーム１６Ａの補強部材２２に、図４に示した一対のワイヤ取付け治具３０、３０が複数のボルト２４により、以下のようにして取付けられる。
【００４１】
図６は、蒸留塔１０の頂部を示したものである。図６に示したように、蒸留塔１０の頂部には、ガスなどを回収するための取出し用配管４０が立ち上げられている。
【００４２】
そして、この取出し用配管４０に設けられたフランジ４２の下方、すなわち蒸留塔１０頂部から、プラットホーム床下に放射状に水平補強部材４４が延出され、この水平補強部材４４の先端部はリング状の枠体７０の下面に差し渡されている。また、取出し用配管４０の略同心円状に、縦方向脚部４６が所定間隔置きに設置されている。なお、図６において、符号４８は、安全確保などのために設けられた柵を示している。
【００４３】
このようにして、蒸留塔１０の頂部には、ワイヤ取付け治具３０及び補強部材２２を設置するための基台が構築され、この基台はプラットホーム１６Ａの一部を構成する。
【００４４】
図７は、図６に示した蒸留塔１０の頂部に据え付け治具５０を設置した状態を示す斜視図である。なお、図７では、主要部以外の蒸留塔１０、枠体７０、柵４８などの他の部材を省略している。
【００４５】
図６に示した蒸留塔１０の縦方向脚部４６に、先ず、例えばリング状の補強部材２２をボルトあるいは溶接などの適宜な固定手段で固定しておくとともに、そのリング状の補強部材２２に、ワイヤ取付け治具３０をボルト２４により一体的かつ着脱自在に設置する。その後、図７に概略的に示したように、枠体７０の内方でワイヤ取付け治具３０の周囲に、所定の大きさの床板６０を隙間無く敷き詰めて平坦にする。これにより、蒸留塔１０の吊上げのための準備が完了する。
【００４６】
このようなワイヤ取付け治具３０が予め固定設置された蒸留塔１０を、図１に示すクレーン１２で鉛直方向に吊上げる場合には、先ず、横置き状態にされた蒸留塔１０のワイヤ取付け治具３０の挿通孔３８に、シャックルなどの連結金具１５を介してクレーン１２のワイヤ１４を引っ掛ける。その後、蒸留塔１０を鉛直方向に吊上げ、クレーン操作により据え付けを行なう。
【００４７】
一方、据え付けが完了した後には、据え付け治具５０の主要部であるワイヤ取付け治具３０が不要になり、かつ撤去する必要があるので、作業者がプラットホーム１６Ａに昇って、ワイヤ取付け治具３０の取り外し作業を行う。この場合、作業者は、スパナなど用意された工具を用いてボルト２４の螺合を解除すれば、このワイヤ取付け治具３０を補強部材２２から容易に取り外すことができる。ここで、ワイヤ取付け治具３０は、プラットホーム１６Ａの床面上に設置されていることから、特に周囲に足場を組む必要もない。また、取り外す際に、クレーン１２で保持していなくても、取り外されたワイヤ取付け治具３０が地上に落下するおそれもなく、そのプラットホーム１６Ａ上に仮置きすることができ
る。なお、リング状の補強部材２２は、取り外されることなく、そのままプラットホーム１６Ａ上に残され、その一部を構成する。
【００４８】
一方、ワイヤ取付け治具３０の取り外しを行なうと、そのワイヤ取付け部材３０の存在した部分に跡地が形成されるが、この跡地に図５、図８に示した遮蔽板３４，３４を螺子５２により設置すれば、その跡地を遮蔽板３４で覆うことができる。これにより、このプラットホーム１６Ａの床面全体を略平坦にすることができる。
【００４９】
よって、据え付け完了後、定期的に保守、点検などを行なう場合に、プラットホーム１６Ａ上に邪魔になるものがなくなる。
【００５０】
また、本発明では、このように放熱など熱影響を生じさせやすいワイヤ取付け治具３０を吊上げ設置型構造物１０の周面に残すことがないので、温度管理を行い易くなる。
【００５１】
さらに、本実施例では、据え付け治具５０を吊上げ設置型構造物１０から溶断して撤去するのではなく、先ず、ボルト結合による締結手段を解除して主要部であるワイヤ取付け治具３０を取り外す。よって、作業性が向上する。また、特に周囲に足場を設けなくても取り外し作業を行うことができる。また、ボルト２４の螺合を解除する場合に、クレーン１２などでワイヤ取付け治具３０を保持していなくても、ワイヤ取付け治具３０が下方に落下するおそれもない。しかも、このような取り外し作業を、容易かつ安全に短時間で行なうことができるので、コスト削減にも寄与する。
【００５２】
以上、本発明の一実施例に係る吊上げ設置型構造物の据え付け方法およびそれに使用される据え付け治具について説明したが、本発明は上記実施例に何ら限定されない。
【００５３】
例えば、上記実施例では、吊上げ設置型構造物として蒸留塔１０を例示したが、本発明の吊上げ設置型構造物は、蒸留塔以外の反応塔、タンクなど他の吊上げ設置型構造物に適用可能である。
【００５４】
また、蒸留塔１０の頂部に形成されるプラットホーム１６Ａの形状や、補強部材２２をプラットホーム１６Ａに設置するための水平補強部材４４、縦方向脚部４６、枠体７０、柵４８の構造などは、特に限定されるものではない。
【００５５】
また、この補強部材２２は、既設物としてプラットホーム１６Ａに残したままにすることが好ましいが、ボルト結合などで締結しておき、この補強部材２２を必要に応じて取り外しても良い。
【００５６】
さらに、ワイヤ取付け治具３０を取付けるための補強部材２２は、他の形状であっても良い。例えば、リング状の補強部材２２に代わるものとして、矩形タイプ、あるいはイゲタ、さらには、放射状のようなものを組み合わせたものなどを例示することができる。
【００５７】
なお、本発明による据え付け治具５０は、吊上げ設置型巨大構造物の底面側に設置される据え付け治具にも同様に適用することができる。
【００５８】
本発明は、要は据え付け治具５０をボルトによる締結手段で、その主要部であるワイヤ取付け治具を着脱自在に取付ける構造が実施できれば、他の部分の構造は何ら限定されない。
【符号の説明】
【００５９】
１０            吊上げ設置型構造物（蒸留塔）
１２            クレーン
１４            ワイヤ
１５            連結金具
１６、１６Ａ    プラットホーム
２２            補強部材
２２ａ          螺子孔
２４            ボルト
３０            ワイヤ取付け治具
３１            立ち上がり部
３３            基板部
３４            遮蔽部材
３８            挿通孔
５０            据え付け治具
【図１】
0005424394.tif 000002
【図２】
0005424394.tif 000003
【図３】
0005424394.tif 000004
【図４】
0005424394.tif 000005
【図５】
0005424394.tif 000006
【図６】
0005424394.tif 000007
【図７】
0005424394.tif 000008
【図８】
0005424394.tif 000009